(57)【要約】【課題】広告等を表示する表示筐体と車輪を備えた移動ユニットとを簡単に脱着できる簡易設置型表示装置を提供する。【解決手段】簡易設置型表示装置１に、二つのレールフレーム１１を繋いでいる複数のクロスフレーム１２に複数のベース側係止部１３が取付けられているベースフレーム１０と、ベースフレーム１０の上側に取付けられておりプロジェクタにより映像を表示する表示筐体２０と、レールフレーム１１が載置されている二つの主桟部材３１を複数の副桟部材３２で繋いでおり、複数の移動側係止部３４が副桟部材３２に取付けられていると共に、レールフレーム１１を案内する複数のガイド機構３３と複数の車輪３５とが主桟部材３１に取付けられている移動ユニット３０と、ベース側係止部１３と移動側係止部３４とを繋いでいるターンバックル５０と、を具備させる。【選択図】図１
2017003638.tif 000002
【特許請求の範囲】
【請求項１】
上下方向に立設された垂直部及び該垂直部の下端に水平方向に突設された水平部を有する一定の断面形状に延びている二つのレールフレーム、二つの該レールフレームを間隔をあけて平行に繋いでいる複数のクロスフレーム、及び該クロスフレームに取付けられている複数のベース側係止部、を備えているベースフレームと、
該ベースフレームの上側に取付けられており、外部から視認される映像を投影するプロジェクタが内部に収容された箱状の表示筐体と、
該レールフレームと同じ方向へ延びており二つの該レールフレームの夫々が載置されている二つの主桟部材、二つの該主桟部材を間隔をあけて平行に繋いでいる複数の副桟部材、前記主桟部材に取付けられており前記垂直部を案内している複数の第一ガイドローラ、前記水平部の上側に間隔をあけて前記主桟部材に取付けられている複数の第二ガイドローラ、前記副桟部材に取付けられている複数の移動側係止部、及び前記主桟部材に取付けられている複数の車輪、を備えている移動ユニットと、
複数の前記ベース側係止部と複数の前記移動側係止部とを、夫々一組ずつ繋いでいる複数のターンバックルと
を具備していることを特徴とする簡易設置型表示装置。
【請求項２】
前記移動ユニットは、
前記主桟部材の長手方向の一方の端部よりも外方へ延出している牽引棹部材と、
該牽引棹部材の先端に取付けられており、ワイヤーの先端のフックが前記ベースフレームに係止されているウインチと、
前記主桟部材における前記牽引棹部材側の端部に取付けられており、前記レールフレームの端部が当接しているストッパと
を備えていることを特徴とする請求項１に記載の簡易設置型表示装置。
【発明の詳細な説明】
【技術分野】
【０００１】
本発明は、牽引車によって手軽に移動させて設置することのできる簡易設置型表示装置に関するものである。
【背景技術】
【０００２】
移動のための動力源を備えたトラック等の車両において、荷台の部分にプロジェクタと光透過型のスクリーンとを備え、そのスクリーンに看板広告となる画像を表示させるようにした看板広告車両の技術が提案されている（特許文献１）。この特許文献１の技術によれば、看板広告を容易に移動させることが可能となる他に、看板広告の表示内容を容易に変更させることが可能となる。
【０００３】
しかしながら、特許文献１の技術では、動力源を備えた車両にプロジェクタとスクリーンを取付けていることから、動力源や車輪等の存在により、全体のコストが高くなる問題があった。また、同じ場所に長期間設置する場合、動力源や車輪等が不要であり、無駄である。また、長期間設置する場合でも、次に移動させる時のために、動力源や車輪等を定期的にメンテナンスする必要があり、ランニングコストが増加する問題がある。
【０００４】
ところで、本願出願人は、動力源を備えた牽引車によって牽引することができ、建屋と車輪ユニットとを簡単に取外すことのできる移動式建屋用トレーラを提案している（特許文献２）。この特許文献２の技術における建屋の部分を、特許文献１の技術における荷台の部分と置き換えることで、上記の問題を解消させることが考えられる。しかしながら、特許文献２の技術では、建屋に車輪ユニットを取付ける際に、夫々を位置決めした上で、ボルトによって取付けているため、手間がかかっていた。
【先行技術文献】
【特許文献】
【０００５】
【特許文献１】特開２０１０−２８６８０１号公報
【特許文献２】特開２０１２−７６７３２号公報
【発明の概要】
【発明が解決しようとする課題】
【０００６】
そこで、本発明は、上記の実情に鑑み、広告等を表示する表示筐体と車輪を備えた移動ユニットとを簡単に脱着できる簡易設置型表示装置の提供を課題とするものである。
【課題を解決するための手段】
【０００７】
上記の課題を解決するために、本発明に係る簡易設置型表示装置は、「上下方向に立設された垂直部及び該垂直部の下端に水平方向に突設された水平部を有する一定の断面形状に延びている二つのレールフレーム、二つの該レールフレームを間隔をあけて平行に繋いでいる複数のクロスフレーム、及び該クロスフレームに取付けられている複数のベース側係止部、を備えているベースフレームと、該ベースフレームの上側に取付けられており、外部から視認される映像を投影するプロジェクタが内部に収容された箱状の表示筐体と、該レールフレームと同じ方向へ延びており二つの該レールフレームの夫々が載置されている二つの主桟部材、二つの該主桟部材を間隔をあけて平行に繋いでいる複数の副桟部材、前記主桟部材に取付けられており前記垂直部を案内している複数の第一ガイドローラ、前記水平部の上側に間隔をあけて前記主桟部材に取付けられている複数の第二ガイドローラ、前記副桟部材に取付けられている複数の移動側係止部、及び前記主桟部材に取付けられている複数の車輪、を備えている移動ユニットと、複数の前記ベース側係止部と複数の前記移動側係止部とを、夫々一組ずつ繋いでいる複数のターンバックルとを具備していることを特徴とする」ものである。
【０００８】
ここで、「表示筐体」としては、「少なくとも一つの側面に備えられた光透過型のスクリーンと、内部からスクリーンに映像を投影するプロジェクタと、を備えているもの」、「開閉可能な屋根と、屋根の裏側に取付けられた光反射型のスクリーンと、開かれた屋根の裏側のスクリーンに内部から映像を投影するプロジェクタと、を備えているもの」、「内部から外部に設置されたスクリーンや建物の壁等に映像を投影するプロジェクタを備えたもの」、等を例示することができる。
【０００９】
また、「ベース側係止部」及び「移動側係止部」は、ターンバックルの先端を係止できるものであれば良く、例えば、ターンバックルの先端が鉤状の場合では環状又は鉤状とし、ターンバックルの先端が環状の場合では鉤状とすることができる。
【００１０】
本構成の簡易設置型表示装置によれば、移動するための動力源を備えた牽引車により牽引することで、表示筐体を任意の場所へ簡単に移動させることができ、表示筐体に備えられているプロジェクタにより広告等を表示させることができる。また、動力源を備えていないため、特許文献１の技術と比較して、全体のコストの増加を抑制させることができる。
【００１１】
また、複数のターンバックルを取外した状態で、表示筐体と一緒にベースフレームを持ち上げて、移動ユニットをレールフレームの延びている方向へ移動させると、表示筐体から移動ユニットを簡単に分離させることができ、表示筐体のみを所望の場所に設置させることができる。分離させた移動ユニットは、他の表示筐体の移動に用いることができ、移動ユニットを有効活用することができる。更に、ターンバックルによりベースフレームに移動ユニットを取付けているため、ベースフレームと移動ユニットとを厳密に位置決めしなくても、ターンバックルを伸縮させることで、簡単に取付けることができ、取付作業を楽に行うことができる。
【００１２】
また、本構成に係る簡易設置型表示装置は、上記の構成に加えて、「前記移動ユニットは、前記主桟部材の長手方向の一方の端部よりも外方へ延出している牽引棹部材と、該牽引棹部材の先端に取付けられており、ワイヤーの先端のフックが前記ベースフレームに係止されているウインチと、前記主桟部材における前記牽引棹部材側の端部に取付けられており、前記レールフレームの端部が当接しているストッパとを備えている」ことを特徴としても良い。
【００１３】
本構成では、表示筐体の下側のベースフレームに移動ユニットを取付ける場合、下側に移動ユニットが入る高さにベースフレームを持ち上げた状態とすると共に、レールフレームの延びている方向の片方の外側に、牽引棹部材が延出している側とは反対側をベースフレーム側へ向けて移動ユニットを配置する。また、牽引棹部材に取付けられているウインチから延びているワイヤーの先端のフックを、ベースフレームに係止させる。この状態でウインチによりワイヤーを巻き上げると、移動ユニットがベースフレームの方向へ移動する。そして、移動ユニットの複数の第一ガイドローラや複数の第二ガイドローラが、ベースフレームのレールフレームに案内されるように、ベースフレームの下側へ移動ユニットを進入させ、ストッパをレールフレームの端部に当接させる。この状態で、持ち上げていたベースフレームを降ろして、主桟部材に載置させ、各組のベース側係止部と移動側係止部とをターンバックルで繋いで締付けることで、ベースフレームに移動ユニットが取付けられる。
【００１４】
このように、本構成によれば、ウインチにより移動ユニットをベースフレームの下側へ簡単に移動させることができ、ベースフレームへの移動ユニットの取付作業を楽に行うことができる。また、ストッパに当接したベースフレームを、ウインチにより引っ張った状態で、移動ユニットに取付けた場合、ウインチによっても移動ユニットに対するベースフレームの相対的な移動を規制することができる。
【発明の効果】
【００１５】
以上のように、本発明の効果として、広告等を表示する表示筐体と車輪を備えた移動ユニットとを簡単に脱着できる簡易設置型表示装置を提供することができる。
【図面の簡単な説明】
【００１６】
【図１】本発明の一実施形態である簡易設置型表示装置の側面図である。
【図２】図１の簡易設置型表示装置を長手方向の途中で切断して示す正面図である。
【図３】（ａ）はベースフレームと移動ユニットとの取付けを示す側面図であり、（ｂ）は（ａ）においてターンバックルを省略して示すＡ−Ａ断面図である。
【図４】図１における簡易設置型表示装置の前部を拡大して示す側面図である。
【図５】ベースフレームの平面図である。
【図６】移動ユニットの平面図である。
【図７】ベースフレームからの移動ユニットの取外しを示す説明図である。
【発明を実施するための形態】
【００１７】
本発明の一実施形態である簡易設置型表示装置１について、図１乃至図６を参照して詳細に説明する。本実施形態の簡易設置型表示装置１は、動力源を備えた牽引車（図示は省略）によって牽引して移動させることができる。ここでは、牽引される方向を前後方向と称し、前後方向と直交する方向を左右方向と称して説明する。
【００１８】
簡易設置型表示装置１は、ベースフレーム１０と、ベースフレーム１０の上側に取付けられており外部から視認される映像を表示する箱状の表示筐体２０と、ベースフレーム１０が載置されており、複数の車輪を備えている移動ユニット３０と、ベースフレーム１０と移動ユニット３０とを互いに固定している複数のターンバックル５０と、を備えている。
【００１９】
ベースフレーム１０は、一定の断面形状で前後方向に延びている二つのレールフレーム１１と、二つのレールフレーム１１を、左右方向に間隔をあけて平行に繋いでいる複数（ここでは四つ）のクロスフレーム１２と、クロスフレーム１２に取付けられている複数のベース側係止部１３と、クロスフレーム１２に取付けられている複数のジャッキ取付部１４と、を備えている。
【００２０】
レールフレーム１１は、一定に延びている断面形状が、Ｈの文字を９０度倒したような形状に形成されており、上下方向に立設された垂直部１１ａと、垂直部１１ａの上下両端に水平方向に突設された水平部１１ｂとを備えている。本実施形態のレールフレーム１１は、Ｈ鋼材である。二つのレールフレーム１１は、前後方向（長手方向）の両端部の二箇所と、両端の間の途中の二箇所の、合計四箇所において、クロスフレーム１２によって平行に繋げられている。
【００２１】
四つのクロスフレーム１２は、図５に示すように、夫々が二つのレールフレーム１１を繋いだ上で、更に左右方向外側へ突出している。クロスフレーム１２は、レールフレーム１１よりも外側へ突出している部位が、上下方向の中央より下側が切欠かれている。四つのクロスフレーム１２のうち、レールフレーム１１の前後方向の端部同士を繋いでいる二つが、レールフレーム１１と同じ大きさのＨ鋼材であり、残りの二つが、レールフレーム１１と同じ高さで断面が上下に長い長方形の角型鋼管である。
【００２２】
ベース側係止部１３は、丸棒の鋼材を半円弧状に形成したものであり、円弧の両端がクロスフレーム１２に取付けられている。ベース側係止部１３は、二つのレールフレーム１１の前後方向の端部同士を繋いでいる二つのクロスフレーム１２において、レールフレーム１１よりも左右方向外側に突出している部位に取付けられている。更に詳述すると、ベース側係止部１３は、図３（ａ）に示すように、クロスフレーム１２の断面において、上下に延びている部位の前後方向の内側（図中左側）を向いている側と、上下に延びている部位の上端から水平に延びている部位の下面と、で形成されている隅部に取付けられている。
【００２３】
ジャッキ取付部１４は、断面が正方形の角型鋼管であり、ベースフレーム１０の四隅に、左右方向へ延びた状態で取付けられている。詳述すると、四つのジャッキ取付部１４は、ベースフレーム１０の前後方向両端のクロスフレーム１２において、左右方向の端部に夫々が取付けられている。
【００２４】
ベースフレーム１０は、レールフレーム１１、クロスフレーム１２、ベース側係止部１３、及びジャッキ係止部が、夫々溶接やボルト止め等によって、組立てられている。
【００２５】
表示筐体２０は、映像を投影するプロジェクタ２１と、内部にプロジェクタ２１が備えられている箱状の筐体本体２２と、筐体本体２２の一部に取付けられておりプロジェクタ２１からの映像が投影されるスクリーン２３と、プロジェクタ２１を制御する制御装置（図示は省略）と、プロジェクタ２１や制御装置等に電力を供給する電源部（図示は省略）と、を備えている。
【００２６】
プロジェクタ２１は、図２に示すように、筐体本体２２内の上部に取付けられている。プロジェクタ２１は、図示は省略するが、左右に延びたレール部材により左右方向へ移動できるように取付けられていると共に、上下に延びた軸部材及び水平に延びた軸部材により夫々の軸周りに回転できるように取付けられている。これにより、プロジェクタ２１は、様々な方向へ向けて映像を投影させることができる。
【００２７】
筐体本体２２は、ベースフレーム１０の上側に取付けられている平板状の底板部２２ａと、底板部２２ａの外周の四辺から夫々上方へ立上っている四つの側板部２２ｂと、上下方向に貫通している二つの天板開口部２２ｆを有しており四つの側板部２２ｂの夫々の上辺を繋いでいる平板状の天板部２２ｃと、天板開口部２２ｆを開閉させ天板部２２ｃの全体を上から覆うように取付けられている平板状の屋根板部２２ｄと、を備えている。また、筐体本体２２は、四つの側板部２２ｂのうちの前後方向に延びている側板部２２ｂの一つにおいて四角形に貫通している側板開口部２２ｅを備えている。屋根板部２２ｄは、前後方向に延びている二辺のうちの、側板開口部２２ｅが形成されている側とは反対側の辺を中心にしてヒンジ回転するように取付けられている。
【００２８】
スクリーン２３は、側板開口部２２ｅを閉鎖するように側板部２２ｂに取付けられている平板状の側面スクリーン２３ａと、屋根板部２２ｄにおける天板部２２ｃと対面する側に取付けられている屋根スクリーン２３ｂと、を備えている。側面スクリーン２３ａは、光透過型であり、屋根スクリーン２３ｂは、光反射型である。
【００２９】
制御装置は、図示は省略するが、コンピュータにより構成されており、ＤＶＤやメモリーカード等の記憶媒体から記憶されている映像データを読み取る読取部、投影するスクリーン２３の形態（反射型又は透過型）や、プロジェクタ２１とスクリーン２３との位置関係、に応じて映像データに反転や変形等の画像処理を行う画像処理部、画像処理された映像データをプロジェクタ２１に出力する出力部、等を備えている。読取部では、有線や無線により接続されたネットワークを介して外部に記憶された映像データを読み取れるようにしても良い。
【００３０】
電源部は、図示は省略するが、商用電源と接続するための電源コードを備えている。また、電源部は、バッテリーを備えていても良いし、太陽光発電機や風力発電機、内燃機関発電機等を備えていても良い。
【００３１】
表示筐体２０は、プロジェクタ２１を側面スクリーン２３ａとは左右方向の反対側へ移動させた状態で、プロジェクタ２１から側面スクリーン２３ａの内側の面に映像を投影させることで、光透過型の側面スクリーン２３ａを通して、外部から視認される映像を表示させことができる。また、表示筐体２０は、左右方向において側面スクリーン２３ａと同じ側にプロジェクタ２１を移動させると共に、屋根板部２２ｄを開いて直立させた状態とし、プロジェクタ２１から天板部２２ｃの天板開口部２２ｆを通して屋根スクリーン２３ｂに映像を投影させることで、外部から視認される映像を表示させることができる。屋根スクリーン２３ｂに映像を投影した場合、屋根スクリーン２３ｂが高い位置にあることから、遠くからでも映像を視認させることができる。
【００３２】
また、表示筐体２０は、プロジェクタ２１を側面スクリーン２３ａとは左右方向の反対側へ移動させると共に、屋根板部２２ｄを開いて直立させた状態とし、プロジェクタ２１から天板部２２ｃの天板開口部２２ｆを通して、建物２の壁面や外部に設置されたスクリーンに映像を投影させることができる。建物２の壁面に投影する場合、プロジェクションマッピングの技術を用いると良い。
【００３３】
移動ユニット３０は、レールフレーム１１と同じ方向へ延びている二つの主桟部材３１と、二つの主桟部材３１を間隔をあけて平行に繋いでいる複数（ここでは四つ）の副桟部材３２と、主桟部材３１に取付けられておりレールフレーム１１を前後方向に案内する複数（ここでは四つ）のガイド機構３３と、副桟部材３２に取付けられている複数の移動側係止部３４と、主桟部材３１に取付けられている四つの車輪３５と、を備えている。
【００３４】
また、移動ユニット３０は、主桟部材３１の長手方向の一方の端部よりも外方へ延出している牽引棹部材３６と、牽引棹部材３６の先端に取付けられているウインチ３７と、主桟部材３１におけるウインチ３７に近い側の端部に取付けられているストッパ３８と、を備えている。更に、移動ユニット３０は、主桟部材３１の上面に取付けられている平板状の複数の台座部３９と、主桟部材３１の前後方向における牽引棹部材３６が突出している側とは反対側の端部付近に取付けられている平板状のガイド板４０と、二つの主桟部材３１の左右方向両外側において四つの副桟部材３２の先端同士を夫々繋いでいる二つの保護棹部材４１と、牽引棹部材３６の先端に昇降できるように取付けられている補助車輪４２と、を備えている。
【００３５】
主桟部材３１は、レールフレーム１１と同じ長さである。二つの主桟部材３１は、四つの副桟部材３２によって、ベースフレーム１０の二つのレールフレーム１１の間隔と同じ間隔で平行に繋げられている。主桟部材３１は、断面が上下に長い四角形の角型鋼管である。
【００３６】
四つの副桟部材３２は、ベースフレーム１０における四つのクロスフレーム１２と前後方向が同じ位置で、二つの主桟部材３１を繋いでいる。四つの副桟部材３２は、図６に示すように、夫々が二つの主桟部材３１を繋いだ上で、更に左右方向外側に突出している。副桟部材３２において主桟部材３１から左右方向外側へ突出している長さは、クロスフレーム１２においてレールフレーム１１から左右方向外側に突出している長さよりも長い。副桟部材３２は、主桟部材３１と同じ大きさの断面が上下に長い四角形の角型鋼管である。
【００３７】
ガイド機構３３は、主桟部材３１における長手方向（前後方向）の両端付近に、取付けられている。ガイド機構３３は、図３に示すように、主桟部材３１における左右方向の外側を向いた側面に取付けられており、主桟部材３１の上端よりも上方に突出している取付ステー３３ａと、取付ステー３３ａに上下に延びた軸周りを回転するように取付けられている第一ガイドローラ３３ｂと、取付ステー３３ａに左右に延びた軸周りを回転するように取付けられている第二ガイドローラ３３ｃと、を備えている。第一ガイドローラ３３ｂは、移動ユニット３０にベースフレーム１０を載置した状態で、垂直部１１ａとの間に僅かな隙間を形成するように取付けられている。第二ガイドローラ３３ｃは、移動ユニット３０にベースフレーム１０を載置した状態で、下側の水平部１１ｂの上側に間隔があくように取付けられている。
【００３８】
移動側係止部３４は、丸棒の鋼材をＵ字状に屈曲させて形成されている。移動側係止部３４は、Ｕ字を横にして円弧部分が移動ユニット３０の前後方向の外側を向くように、Ｕ字の二つの先端が取付ステー３３ａの下部に取付けられている。車輪３５は、主桟部材３１と保護棹部材４１との間において、前後方向の中央付近に前後に並んで、左右二つずつ取付けられている。車輪３５は、金属製のホイールと、ホイールに装着されているゴム製のタイヤとを備えており、車軸やサスペンションを介して主桟部材３１に取付けられている。
【００３９】
牽引棹部材３６は、図６に示すように、車輪３５よりも前後方向の外側で二つの主桟部材３１の夫々の内側の側面から、前後方向の一方の端部（図中左側の端部）の副桟部材３２よりも外方且つ左右方向中央で接するように夫々斜めに延びており、夫々の先端同士が連結されている。牽引棹部材３６は、主桟部材３１と同じ大きさの断面が上下に長い四角形の角型鋼管である。ウインチ３７は、巻き取ったり引き出されたりするワイヤー３７ａの先端に、鉤状のフック（図示は省略）を備えている。
【００４０】
ストッパ３８は、二つの主桟部材３１の端部において、夫々上方へ突出した平板状に形成されている。台座部３９は、主桟部材３１の上面において、副桟部材３２が繋がれている部位と、前後方向の中央の部位に、取付けられている。台座部３９は、上面にベースフレーム１０（レールフレーム１１）が載置される。ガイド板４０は、図３に示すように、主桟部材３１における左右方向の外側を向いている側面に取付けられており、上端が主桟部材３１よりも上方に突出している。ガイド板４０は、上下方向の途中から、上端へ向かうほど左右方向外側へ位置するように曲げられている。
【００４１】
移動ユニット３０は、主桟部材３１、副桟部材３２、ガイド機構３３、移動側係止部３４、車輪３５、牽引棹部材３６、ウインチ３７、ストッパ３８等が、夫々溶接やボルト止め等によって、組立てられている。移動ユニット３０は、図示は省略するが、車輪３５の回転を制止させるための制動機構、公道を走行するためのテールランプ、ブレーキランプ、ウインカー、等を備えている。
【００４２】
ターンバックル５０は、図３（ａ）に示すように、両端に互いに逆ネジとなる雌ネジが形成されている本体部５１と、基端側に本体部５１の夫々の雌ネジに螺合されている雄ネジが夫々形成されていると共に本体部５１よりも外方へ突出している一対のボルト部５２と、を備えている。ボルト５２の先端側は、環状のベース側係止部１３や移動側係止部３４に係止されるように鉤状に夫々形成されている。ターンバックル５０は、一対のボルト部５２に対して本体部５１を回転させると、全体の長さを伸縮させることができる。
【００４３】
次に、本実施形態の簡易設置型表示装置１において、ベースフレーム１０（表示筐体２０）と移動ユニット３０との脱着について説明する。まず、移動ユニット３０にベースフレーム１０が取付けられている状態（取付状態）について説明する。取付状態では、ベースフレーム１０における二つのレールフレーム１１の下面が、複数の台座部３９を介して二つの主桟部材３１に載置されている。また、取付状態では、二つのレールフレーム１１の前後方向の一方の端部が、ストッパ３８に夫々当接している。このストッパ３８の当接により、前後方向におけるストッパ３８よりも外側へのベースフレーム１０の移動が規制されている。
【００４４】
また、取付状態では、前後方向の両端付近において互いに接近している一組のベース側係止部１３及び移動側係止部３４の夫々のＵ字状の部位に、ターンバックル５０における一対のボルト部５２の先端の鉤状の部位が夫々係止されていると共に、本体部５１により一対のボルト部５２が互いに接近する方向に締付けられている。これにより、ベース側係止部１３と移動側係止部３４とが、ターンバックル５０によって繋げられている。前後方向両端付近のベース側係止部１３と移動側係止部３４とが、夫々ターンバックル５０により繋げられることで、ベースフレーム１０が移動ユニット３０へ押圧されていると共に、前後方向への相対的な移動が規制されている。
【００４５】
更に、取付状態では、ウインチ３７において、ウインチ３７の巻き上げによりワイヤー３７ａに張力がかかった状態で、ワイヤー３７ａの先端の図示しないフックがベースフレーム１０に係止されている。
【００４６】
簡易設置型表示装置１を、取付状態で牽引車により牽引して移動させる場合は、牽引棹部材３６の先端を牽引車に連結させると共に、補助車輪４２が路面と接触しないように上昇させる。また、簡易設置型表示装置１を、取付状態で設置する場合は、補助車輪４２を路面に接地させる。取付状態で設置する場合は、車輪３５に輪止めを装着することが望ましい。
【００４７】
続いて、ベースフレーム１０からの移動ユニット３０の取外しについて説明する。簡易設置型表示装置１を設置場所に移動させた後に、四つのターンバックル５０を取外すと共に、ウインチ３７から延びているワイヤー３７ａの先端のフックを取外す。次に、ベースフレーム１０の四隅に取付けられているジャッキ取付部１４の外側に、ジャッキ６０を夫々配置する（図７（ａ）を参照）。そして、ジャッキ６０の取付棒６１を、ジャッキ取付部１４の穴に挿入し、取付棒６１が上昇する方向へジャッキ６０のハンドル６２を回転させる（図７（ｂ）を参照）。
【００４８】
ジャッキ６０の取付棒６１の上昇に伴い、ベースフレーム１０及び表示筐体２０が上昇し、やがてレールフレーム１１の下側の水平部１１ｂが第二ガイドローラ３３ｃに対して下側から当接することとなる。更にジャッキ６０によってベースフレーム１０を上昇させると、下側の水平部１１ｂに当接している第二ガイドローラ３３ｃを介して移動ユニット３０全体が持ち上げられることとなる。その後、車輪３５が地面から離れて浮き上がったら、ハンドル６２の回転を停止させる（図７（ｃ）を参照）。
【００４９】
この状態で、移動ユニット３０を牽引棹部材３６が突出している方向へ移動させることにより、ベースフレーム１０から移動ユニット３０を取外して分離させることができる。これにより、所望の設置場所にベースフレーム１０と表示筐体２０のみを設置することができる。ベースフレーム１０と表示筐体２０の設置は、四つのジャッキ６０によって支えたままの状態としても良いし、ベースフレーム１０の下側に台座を複数配置した後に、ジャッキ６０によりベースフレーム１０を複数の台座上に降ろした状態としても良い。分離させた移動ユニット３０は、他の表示筐体２０の移動に用いることができ、移動ユニット３０を有効活用することができる。
【００５０】
一方、ベースフレーム１０に移動ユニット３０を取付ける場合は、ジャッキ６０によって、下側に移動ユニット３０が入る高さにベースフレーム１０を持ち上げた状態とし、レールフレーム１１の延びている前後方向の片方の外側に、牽引棹部材３６が延出している側とは反対側をベースフレーム１０側へ向けて移動ユニット３０を配置する。その後、牽引棹部材３６の先端に取付けられているウインチ３７からワイヤー３７ａを引き出して、ワイヤー３７ａの先端のフックをベースフレーム１０に係止させる。この状態で、ウインチ３７によりワイヤー３７ａを巻き上げると、移動ユニット３０がベースフレーム１０の方向へ移動する。
【００５１】
そして、移動ユニット３０の複数の第一ガイドローラ３３ｂ及び複数の第二ガイドローラ３３ｃが、ベースフレーム１０における二つのレールフレーム１１の垂直部１１ａ及び下側の水平部１１ｂに案内されるように、ベースフレーム１０の下側へ移動ユニット３０を進入させる。この際に、移動ユニット３０の左右のガイド板４０を目安として、二つのガイド板４０の間に、二つのレールフレーム１１が入るように移動ユニット３０を位置させると、簡単に第一ガイドローラ３３ｂ及び第二ガイドローラ３３ｃをレールフレーム１１に案内させることができる。
【００５２】
その後、ウインチ３７においてワイヤー３７ａの巻き上げにより移動ユニット３０を更に移動させて、ストッパ３８をレールフレーム１１の端部に当接させる。この状態で、複数のジャッキ６０により持ち上げていたベースフレーム１０を降ろし、主桟部材３１に取付けられている台座部３９にベースフレーム１０を載置させる。そして、四隅にあるベース側係止部１３と移動側係止部３４とをターンバックル５０で繋いで締付ける。これにより、ベースフレーム１０に移動ユニット３０が取付けられた状態となる。
【００５３】
このように、本実施形態の簡易設置型表示装置１によれば、動力源を備えた牽引車により牽引することで、表示筐体２０を任意の場所へ簡単に移動させることができ、表示筐体２０に備えられているプロジェクタ２１により広告等を表示させることができる。また、動力源を備えていないため、動力源を備えた場合と比較して、動力源のメンテナンスを行う必要がなく、全体のコストの増加を抑制させることができる。
【００５４】
また、ターンバックル５０によりベースフレーム１０に移動ユニット３０を取付けているため、ベースフレーム１０と移動ユニット３０とを厳密に位置決めしなくても、ターンバックル５０を伸縮させることで、簡単に取付けることができ、取付作業を楽に行うことができる。
【００５５】
また、長期に亘って風雨にさらされると劣化し易くなるゴム製のタイヤ（車輪３５）、錆び付くことで可動し難くなる車軸やサスペンション、等を備えた移動ユニット３０を取外して、ベースフレーム１０と表示筐体２０のみを設置することができるため、表示筐体２０を設置場所に比較的長期に亘って放置することができ、メンテナンスにかかる手間を低減させることができる。
【００５６】
更に、ウインチ３７により移動ユニット３０をベースフレーム１０の下側へ簡単に移動させることができ、ベースフレーム１０への移動ユニット３０の取付作業を楽に行うことができる。
【００５７】
以上、本発明について好適な実施形態を挙げて説明したが、本発明は上記の実施形態に限定されるものではなく、本発明の要旨を逸脱しない範囲において、種々の改良及び設計の変更が可能である。
【００５８】
例えば、上記の実施形態では、表示筐体２０において、四つの側板部２２ｂのうちの一つに側板開口部２２ｅを形成して側面スクリーン２３ａを取付けた例を示したが、これに限定するものではなく、全ての側板部２２ｂに側面スクリーン２３ａを取付けて、内部のプロジェクタ２１により映像を投影して広告等を表示できるようにしても良い。また、表示筐体２０に、スピーカを備え、音声や音楽を聞かせることができるようにしても良い。
【符号の説明】
【００５９】
１  簡易設置型表示装置
１０  ベースフレーム
１１  レールフレーム
１１ａ  垂直部
１１ｂ  水平部
１２  クロスフレーム
１３  ベース側係止部
２０  表示筐体
２１  プロジェクタ
２２  筐体本体
２３  スクリーン
３０  移動ユニット
３１  主桟部材
３２  副桟部材
３３  ガイド機構
３３ａ  取付ステー
３３ｂ  第一ガイドローラ
３３ｃ  第二ガイドローラ
３４  移動側係止部
３５  車輪
３６  牽引棹部材
３７  ウインチ
３７ａ  ワイヤー
３８  ストッパ
５０  ターンバックル
６０  ジャッキ
【図１】
2017003638.tif 000003
【図２】
2017003638.tif 000004
【図３】
2017003638.tif 000005
【図４】
2017003638.tif 000006
【図５】
2017003638.tif 000007
【図６】
2017003638.tif 000008
【図７】
2017003638.tif 000009